(57)【要約】【課題】電池が消耗した場合でも、消費電力を抑えつつ、内蔵の電話帳を閲覧することができる携帯型情報端末装置を提供する。【解決手段】本発明が適用された折畳式の携帯電話機１０は、折り畳んだときに内側に収納される第１表示部１６と、第１表示部１６よりも消費電力の小さい（小型の）背面表示部（第２表示部４６）とを有している。第２表示部４６は、通常、時計表示や着信案内などの表示を行うサブディスプレイとして機能する。携帯電話機１０の電池７０の残量が所定の容量以下になると通話機能が停止し、自動的に電源ＯＦＦの状態になる。この状態で側面スイッチ３０又は３１を押すと、第２表示部４６の表示機能が切り換わり、内部メモリ（ＥＥＰＲＯＭ６０）に登録された電話帳の情報が第２表示部４６に表示される。【選択図】　　図５
2004128574.tif 000002
【特許請求の範囲】
【請求項１】
電池の残量を判定する電池残量判定手段と、
電話帳のデータを記憶しておくデータ格納手段と、
前記データ格納手段に記憶された電話帳のデータを利用して外部と通信を行う通信手段と、
前記電話帳の情報やユーザの入力情報などの各種情報を表示可能な第１の表示手段と、
前記第１の表示手段よりも消費電力の小さい第２の表示手段と、
前記電池残量判定手段により前記電池の残量が所定の容量以下と判定されると、前記第１の表示手段の表示機能及び前記通信手段による通信機能を停止する一方、前記第２の表示手段に前記電話帳の情報を表示させる制御を行う制御手段と、
を備えたことを特徴とする携帯型情報端末装置。
【請求項２】
前記第２の表示手段に前記電話帳の情報を表示させる指令を入力するための操作手段を有し、前記電池の残量が所定の容量以下となった状態のときに前記操作手段が操作されることにより、前記第２の表示手段に前記電話帳の情報が表示されるように構成されていることを特徴とする請求項１記載の携帯型情報端末装置。
【請求項３】
前記第２の表示手段に表示させる前記電話帳の情報内容を更新する指令を入力するための表示切換操作手段を有し、前記表示切換操作手段の操作に応じて前記第２の表示手段における表示情報が変更されることを特徴とする請求項１又は２記載の携帯型情報端末装置。
【請求項４】
前記第２の表示手段に前記電話帳の情報を表示させた状態で一定時間経過すると、当該第２の表示手段の表示が自動的にＯＦＦされることを特徴とする請求項１、２又は３記載の携帯型情報端末装置。
【請求項５】
前記第２の表示手段における前記電話帳の表示をＯＦＦさせる際に、現在の表示に係る電話帳の情報を記憶する表示履歴記憶手段を有し、次回、前記第２の表示手段における前記電話帳の表示機能を作動させる際に、前記表示履歴記憶手段の記憶情報に従って前回の表示に係る電話帳の情報を表示させることを特徴とする請求項１乃至４の何れか１項記載の携帯型情報端末装置。
【発明の詳細な説明】
【０００１】
【発明の属する技術分野】
本発明は携帯電話機やＰＤＡなどの携帯型情報端末装置に係り、特に電池から供給される電力によって通信その他の各種機能を実現する携帯型情報端末装置に関する。
【０００２】
【従来の技術】
一般に、携帯電話機などの携帯型情報端末装置は、複数の電話番号や電子メールアドレスを内部メモリに登録することができる電話帳（アドレス帳）機能を具備している。また、近年の折畳式携帯電話機は、折り畳まれたときに内側に隠れる第１の表示部と、折り畳まれた状態で外側に露呈している第２の表示部とを有しているものがある（特開２００２−１０１１６８号公報）。
【０００３】
従来、携帯電話機を使用している場合に電池が消耗すると、電話機の電源が切れて通話不能になる。この場合、表示部（液晶ディスプレイ）の表示機能も停止するため、携帯電話機の内部に登録されている電話帳も読み出すことができなくなり、急な連絡が必要な場合などに連絡先の電話番号が分からず不便であった。
【０００４】
そのために、登録実用新案第３０６４３１４号公報では、電池の残り容量によって徐々に機能を制限していき、電話帳などの機能は最後まで使えるように工夫されている。
【０００５】
また、特開２０００−２５３５９３号公報は、電池の残容量に余裕を持たせて電源切断を行う方法が提案されている。
【０００６】
【特許文献１】
特開２００２−１０１１６８号公報（第３頁、第１−２図）
【０００７】
【特許文献２】
登録実用新案第３０６４３１４号公報（第１頁、第２図）
【０００８】
【特許文献３】
特開２０００−２５３５９３号公報（第１−３頁、第３図）
【０００９】
【発明が解決しようとする課題】
しかしながら、近年、表示部のカラー化及び大型化により、電話帳の読み出し（表示）時でも多くの電力を消費してしまうという問題がある。
【００１０】
本発明はこのような事情に鑑みてなされたもので、電池が消耗した場合でも、消費電力を抑えつつ、内蔵の電話帳を閲覧することができる携帯型情報端末装置を提供することを目的とする。
【００１１】
【課題を解決するための手段】
前記目的を達成するために本発明に係る携帯型情報端末装置は、電池の残量を判定する電池残量判定手段と、電話帳のデータを記憶しておくデータ格納手段と、前記データ格納手段に記憶された電話帳のデータを利用して外部と通信を行う通信手段と、前記電話帳の情報やユーザの入力情報などの各種情報を表示可能な第１の表示手段と、前記第１の表示手段よりも消費電力の小さい第２の表示手段と、前記電池残量判定手段により前記電池の残量が所定の容量以下と判定されると、前記第１の表示手段の表示機能及び前記通信手段による通信機能を停止する一方、前記第２の表示手段に前記電話帳の情報を表示させる制御を行う制御手段と、を備えたことを特徴とする。
【００１２】
すなわち、本発明の携帯型情報端末装置は、電池を電源として動作する通信機能付きの端末装置であり、通信相手の連絡先情報（例えば、電話番号、電子メールアドレス、ＵＲＬなど）を内部のデータ格納手段に記憶させることができる電話帳機能を備えている。通信時には電話帳に登録した連絡先情報のデータを利用して通信相手との通信接続を行うことができる。
【００１３】
また、本発明に係る携帯型情報端末装置は、二つの表示手段を有し、一方の表示手段（第１の表示手段）は相対的に消費電力が大きく、他方の表示手段（第２の表示手段）は相対的に消費電力が小さいものとなっている。例えば、第１の表示手段は比較的画面サイズの大きなメインディスプレイであり、第２の表示手段は第１の表示手段よりも画面サイズの小さいサブディスプレイという関係になる。
【００１４】
電池の残量は装置内の電池残量判定手段によって監視され、電池の残量が十分にある状態では、第１の表示手段の表示機能や通信機能その他の各種の機能を通常に使用することができる。電池が消耗し、電池残量が予め定められた所定の容量以下になると、消費電力の大きい第１の表示手段の表示機能及び前記通信手段の通信機能が停止し、通信端末として使用することができなくなる。
【００１５】
その一方で、消費電力の小さい第２の表示手段において電話帳の情報を表示させることが可能となる。これにより、電池消耗時において、少なくとも連絡先の情報を確認することができ、公衆電話などの代替手段を用いて連絡をとることが可能となる。
【００１６】
本発明の一態様に係る携帯型情報端末装置は、上記構成に加えて、前記第２の表示手段に前記電話帳の情報を表示させる指令を入力するための操作手段を有し、前記電池の残量が所定の容量以下となった状態のときに前記操作手段が操作されることにより、前記第２の表示手段に前記電話帳の情報が表示されることを特徴とする。
【００１７】
電池残量が低下して第１の表示手段の表示機能や通信手段の通信機能が停止した状態で所定の操作手段を操作すると、その操作に応動して第２表示手段に電話帳の情報が表示される態様が好ましい。
【００１８】
本発明の他の態様に係る携帯型情報端末装置は、上記構成に加えて、前記第２の表示手段に表示させる前記電話帳の情報内容を更新する指令を入力するための表示切換操作手段を有し、前記表示切換操作手段の操作に応じて前記第２の表示手段における表示情報が変更されるように構成されている。
【００１９】
電話帳に複数の連絡先情報が登録されている場合に、表示切換操作手段の操作に応じて、第２の表示手段の表示内容（連絡先の情報）を順次変更（表示送り／戻し）することができるように構成する態様が好ましい。かかる表示更新処理によって、所望の連絡先情報を表示させることができる。
【００２０】
また、本発明の他の態様は、前記第２の表示手段に前記電話帳の情報を表示させた状態で一定時間経過すると、当該第２の表示手段の表示が自動的にＯＦＦされることを特徴とする。
【００２１】
第２の表示手段における電話帳表示を一定時間経過後に自動的にＯＦＦとすることで、電池の消耗を抑制することができる。
【００２２】
また、本発明の更に他の態様は、前記第２の表示手段における前記電話帳の表示をＯＦＦさせる際に、現在の表示に係る電話帳の情報を記憶する表示履歴記憶手段が付加されており、次回、前記第２の表示手段における前記電話帳の表示機能を作動させる際に、前記表示履歴記憶手段の記憶情報に従って前回の表示に係る電話帳の情報を表示させることを特徴としている。
【００２３】
かかる態様によれば、前回最後に参照した連絡先の情報が最初に表示されるので、同じ相手に再度連絡する場合などに便利である。
【００２４】
【発明の実施の形態】
以下添付図面に従って本発明に係る携帯型情報端末装置の好ましい実施の形態について詳説する。
【００２５】
図１及び図２は、本発明が適用された携帯電話機１０の外観図である。これらの図面に示したように、この携帯電話機１０は、折り畳み（開閉）自在な二つ折り構造を有する折畳式携帯電話機であり、通話（電話）機能の他、電話帳機能、スケジュール管理機能、電子メール送受信機能、ボイスメモ機能など様々な機能を備えた電子ツールである。
【００２６】
図１に示すように、二つ折りの構造における一方の筐体１４、すなわち、図１上で折り曲げ部１５よりも上側の筐体（以下、第１の筐体１４という。）には、比較的大きな画面サイズ（例えば、横１３２　×縦１７６　ドット，約２．０　インチ）の表示画面を有する第１表示部１６が配設されている。第１表示部１６は、カラー表示可能な透過型の液晶ディスプレイで構成されており、第１の筐体１４の内部には照明用のバックライト（図１中不図示、図５中符号６６）が設けられている。
【００２７】
図１において二つ折り構造の他方の筐体１８、すなわち、折り曲げ部１５よりも下側の筐体（以下、第２の筐体１８という。）には、各種の操作を行うためのキー操作部２０が設けられている。キー操作部２０には、ダイヤルボタン２１、通話ボタン２２、通話切兼用電源ボタン２３、十字方向キー２４その他の各種の操作手段が含まれる。
【００２８】
キー操作部２０は第２の筐体１８の折り畳み面（折り畳んだ時に内側に入る面）に設けられているが、第２の筐体１８の側面には、通話中、或いは、折り畳まれた状態でも操作することができる位置に操作ボタン（以下、キー操作部２０のキー群と区別するために、「側面スイッチ」という。）３０、３１が設けられている。また、アンテナ４０と受話口４２は第１の筐体１４に設けられており、送話口４４は第２の筐体１８に設けられている。
【００２９】
第１の筐体１４と第２の筐体１８は、折り曲げ部１５の回転自在な連結機構を介して互いに連結されており、図示せぬクリック係止機構又は適度なフリクションによるフリーストップ機構によって自由な折り曲げ角度で停止させることができる。
【００３０】
第１表示部１６とキー操作部２０を互いに向かい合わせるようにして、折り畳むと、図２のように、第１表示部１６とキー操作部２０が内側に収納された状態になる。
【００３１】
図２に示したように、第１の筐体１４の背面部（第１表示部１６の画面と反対側）には、比較的小さな画面サイズの第２表示部（背面ディスプレイ）４６が設けられている。第２表示部４６は、反射型の液晶パネルで構成されており、バックライトを点灯させなくても、外光（周囲光）の明るさで表示内容を十分に視認できるものである。この第２表示部４６については、なるべく低電力で作動させることができるように、例えば、白黒表示の液晶パネルが用いられている。
【００３２】
第２表示部４６は、通常（電池残量が十分にある場合）、図３に示すように、日時情報の表示５１、電波状態を示す表示５２、電池の残量表示５３、或いは着信案内の表示（不図示）などを行う簡易表示手段として用いられる。しかしながら、特に、電源用の電池（図２中不図示、図５において符号７０として記載）の残容量が所定の基準レベル以下となった場合には、当該第２表示部４６の表示機能が切り換わり、図４に示すように、携帯電話機１０に登録されている電話帳の情報（氏名５４と電話番号５５）を表示するための手段として機能する。第２表示部４６の表示制御方法について詳しくは後述する。
【００３３】
図５は、本実施形態に係る携帯電話機１０の内部構成を示すブロック図である。同図に示したように、携帯電話機１０の内部には、書き換え可能な不揮発性記憶手段としてのＥＥＰＲＯＭ６０と、アンテナ４０を介して電波による信号の送受信処理を行う無線通信部６２と、受話口４２に設けられたスピーカ６４と、送話口４４に設けられたマイク６６と、電源用の電池７０と、電池７０の電圧を監視する電圧検出部７２と、電池７０の電圧を所要の電圧に変換して各ブロックに供給する電源回路７４と、第１表示部１６のバックライト７６と、本携帯電話機１０の動作を制御する制御部８０と、が設けられている。
【００３４】
ＥＥＰＲＯＭ６０は、着信履歴、発信履歴、表示履歴、電話帳、ボイスメモの録音内容、送受信メールのデータ、その他、ユーザが独自に設定した設定情報（カスタマイズ情報）などのデータが格納される内部メモリである。該ＥＥＰＲＯＭ６０に記憶された内容は、電源ＯＦＦ時においても保持される。なお、電源ＯＦＦ状態で一定期間、記憶内容を保持することができればよいため、ＥＥＰＲＯＭ６０に代えて、バックアップ電源（或いは、バックアップコンデンサー）を備えた揮発性メモリを用いる態様も可能である。
【００３５】
携帯電話機１０は、複数人分の連絡先（氏名、電話番号、電子メールアドレス等）を登録可能な電話帳機能を有し、登録された情報はＥＥＰＲＯＭ６０に保管される。
【００３６】
電話帳に登録できる情報項目には、少なくとも氏名と電話番号が含まれ、必要に応じて住所、電子メールアドレス、ホームページのアドレス（ＵＲＬ）などの情報が含まれる。ユーザはキー操作部２０を操作して、氏名や電話番号などを入力する。なお、本例の携帯電話機１０は、着信履歴や発信履歴の情報を利用して電話帳登録操作を簡略化する機能を備えている。登録された連絡先の情報には、重複しない固有の登録番号（メモリ番号）が割り当てられる。メモリ番号は追番で自動的に付与されてもよいし、ある数字範囲の中からユーザが任意に指定してもよい。
【００３７】
電話帳に登録された連絡先情報は第１表示部１６の画面上に表示させることができる。電話帳表示の画面を見ながら、ユーザがキー操作部２０を操作して所望の連絡先を選択したり、関連付けされた登録番号（メモリ番号）をキー入力すると、その指定に係る連絡先の電話番号又は電子メールアドレスのデータがＥＥＰＲＯＭ６０から読み出され、通信先として設定される。このように、電話帳を利用することで、所望の連絡先に電話をかけたり、電子メールを送信することができる。
【００３８】
無線通信部６２は、ＦＤＭＡ（周波数分割多元接続）、ＴＤＭＡ（時分割多元接続）、ＣＤＭＡ（符号分割多元接続）、Ｗ−ＣＤＭＡ（広帯域ＣＤＭＡ）などに代表される遠距離無線通信機能を実現する通信手段であり、アンテナ４０を介して他の通信装置（不図示）及び／又は通信基地局と回線接続して信号の送受信を行う。
【００３９】
制御部８０は、中央演算処理装置（ＣＰＵ）と、ＣＰＵ周辺回路（ＲＯＭ、ＲＡＭ、メモリ制御回路など）、及び音声信号処理回路を含む情報処理手段であり、所定のプログラムに従って本携帯電話機１０の動作を制御する。
【００４０】
すなわち、制御部８０は、キー操作部２０や側面スイッチ３０、３１等の操作手段から入力される操作信号並びに電圧検出部７２から通知される検出信号に従って各回路の動作を制御し、通信制御、第１表示部１６及び第２表示部４６の表示制御、電源供給制御、ＥＥＰＲＯＭ６０の読み書き制御などを行う。
【００４１】
また、図５には示されていないが、携帯電話機１０は、筐体の折り畳み動作に連動して作動する開閉検出スイッチ（検出手段）を有しており、該開閉検出スイッチの検出信号が制御部８０に入力されている。制御部８０は、開閉検出スイッチから受入した信号に基づいて、携帯電話機１０が折り畳まれている状態（図２）であるか、開いている状態（図１）であるかを把握することができ、携帯電話機１０の開閉動作又は開閉状態に応じて所定の制御を行う。例えば、開閉動作に連動してバックライト７６をＯＮ／ＯＦＦする制御、或いは、開閉状態に応じて側面スイッチ３０、３１の機能を切り換える制御などを行う。
【００４２】
ユーザによって携帯電話機１０の電源ＯＮ操作（例えば、通話切兼用電源ボタン２３の長押し操作）が行われると、図５の制御部８０はこれを検出し、電源回路７４に対して起動指令の信号を与え、電源回路７４を起動させる。電源回路７４はＤＣ／ＤＣコンバータを含み、電池７０から供給される電力は、電源回路７４によって所要の電圧に変換された後、携帯電話機１０内の各回路ブロックに供給される。
【００４３】
携帯電話機１０の主電源のＯＮ／ＯＦＦについては、通話切兼用電源ボタン２３の押下操作に限らず、オートパワーＯＮ機能（設定された時刻にパワーＯＮする機能）やオートパワーＯＦＦ機能（一定時間の無操作状態が継続した場合や設定された時刻に自動的にパワーＯＦＦする機能）によって自動的に切り換わる態様もある。
【００４４】
電源用の電池７０には、専用の二次電池（充電式の電池）が用いられる。電圧検出部７２は、電池７０の残量を検出する手段として機能し、電池７０の両端電圧を測定する。電圧検出部７２で検出された電池電圧の情報は制御部８０に送られる。制御部８０は、電圧検出部７２から入力された電圧情報に基づいて電池７０の残容量を判定し、電池残量の表示制御、電源供給制御、バックライト７６の点灯制御及び第２表示部４６の表示機能切換制御などを行う。
【００４５】
また、制御部８０は、ユーザ操作に応じてＥＥＰＲＯＭ６０から電話帳のデータを読み出し、選択された連絡先相手の電話番号に電話をかけたり、電子メールを送信する制御を行う。
【００４６】
通話モード（電話機能を使用するモード）において、通信相手との通信接続が確立されると、マイク６６から入力される音声は電気信号に変換され、制御部８０に送られる。制御部８０内の音声処理回路はマイク６６を通じて入力された音声信号を処理し、所定形式の音声データに変換する。制御部８０で処理された音声データ（送信用のデータ）は、無線通信部６２に送られ、所定の送信用信号形式に変換された後、アンテナ４０から送信される。
【００４７】
また、アンテナ４０によって受波された信号は、無線通信部６２において復調され、制御部８０に送られる。制御部８０内の音声処理回路は、無線通信部６２から受入した音声信号を処理し、所定形式の音声データに変換する。制御部８０において処理された音声データ（受信データ）は、図示せぬＤ／Ａ変換器を介してアナログ音声信号に変換された後、スピーカ６４に送られる。こうして、通話相手の音声がスピーカ６４から可聴出力される。もちろん、携帯電話機１０は、音声データのみならず、画像データ、文書データ、プログラムデータなど種々のデータを送受信することが可能である。
【００４８】
側面スイッチ３０、３１は、通常、ボイスメモの録音／再生ボタン、或いは通話音量のアップ／ダウンボタンなどの操作手段として機能するが、電池７０の残容量が所定の基準値以下となった場合には、第２表示部４６に電話帳の内容を表示させるための表示操作手段として機能するようになる。
【００４９】
図６に電池７０の放電特性を示す。横軸は使用時間、縦軸は電池電圧を示す。図６に示したように、電池７０は使用時間の経過とともに電池電圧が低下していく。電池電圧を測定することによって電池７０の残容量を評価することができる。
【００５０】
本例の携帯電話機１０では、当該携帯電話機１０を正常に使用するに足る電池７０の残量を判断するために、判定基準電圧Ｖｔｈが設定されている。電池７０の電圧（電源電圧）がこの判定基準電圧Ｖｔｈを下回った場合には、通話使用が禁止されるなど携帯電話機１０の機能が制限され、自動的にパワーオフ制御される。
【００５１】
次に、上記の如く構成された携帯電話機１０の動作について説明する。
【００５２】
図７に電源供給制御のフローチャートを示す。同図に示したように、ユーザ操作或いはオートパワーＯＮ機能によって携帯電話機１０の電源がＯＮされると（ステップＳ１１０）、制御部８０は、電池検出部７２から電池電圧の測定情報を取得する（ステップＳ１１２）。
【００５３】
そして、電池電圧が所定の判定基準電圧Ｖｔｈ以下であるか否かの判定を行う（ステップＳ１１４）。電池電圧が判定基準電圧Ｖｔｈを上回っている場合（ステップＳ１１４でＮＯ判定時）には、正常使用が可能な電池容量が残存しているものと判断してステップＳ１１６に進み、通常の動作を実施する。すなわち、通話処理その他の各機能の実現に必要な処理を行い、通話待ち受けの状態になる。この通話待ち受け状態のときには、第２表示部４６において、図３で説明したような情報表示が行われる。
【００５４】
その一方、図７のステップＳ１１４において電池電圧が判定基準電圧Ｖｔｈを下回っている場合（ステップＳ１１４でＹＥＳ判定時）には、電池７０の残量が不足した状態であり、正常使用が不可能な状態であると判断してステップＳ１１８に進む。なお、図７では、電池電圧が判定基準電圧Ｖｔｈと等しい場合もステップＳ１１８に進むが、本発明の実施上、電池電圧が判定基準電圧Ｖｔｈと等しい場合にステップＳ１１６へ進む態様も可能である。
【００５５】
電池残量不足の状態と判定されたステップＳ１１８では、携帯電話機１０の機能が制限される。例えば、通話機能の停止、第１表示部１６の表示機能停止（バックライト７６のＯＦＦ）などの制限がかかる。この機能制限処理（ステップＳ１１８）によって、携帯電話機１０は電話機として使用することが不可能な状態になる。その後、制御部８０は強制的に電源をＯＦＦ（自動パワーＯＦＦ制御）する処理を行う。なお、電源がＯＦＦ状態のときには、第２表示部４６の表示もＯＦＦ（非表示）になる。
【００５６】
図８は、第２表示部４６の表示制御シーケンスを示すフローチャートである。携帯電話機１０が折り畳まれた状態（図２）のときに側面スイッチ３０又は３１が押されると（図８のステップＳ２１０）、制御部８０は側面スイッチ３０又は３１からの操作信号を検出し、携帯電話機１０の電源が入っているか否かの判断を行う（ステップＳ２１２）。
【００５７】
電源が入っている場合（ステップＳ２１２でＮＯ判定時）は、通話待ち受け状態であることを意味しており、側面スイッチ３０又は３１からの入力は無視される（側面スイッチ３０又は３１は機能しない）。
【００５８】
その一方、ステップＳ２１２において、携帯電話機１０の電源が入っていない場合（ＹＥＳ判定時）、すなわち、電源ＯＦＦの状態で携帯電話機１０が折り畳まれ、その折り畳み状態で側面スイッチ３０又は３１が押された場合には、ステップＳ２１４に進む。
【００５９】
ステップＳ２１４において制御部８０は、電圧検出部７２からの検出信号に基づいて電池７０の残容量を判定する。電池電圧が判定基準電圧Ｖｔｈを上回っている場合には、電池７０の容量が十分に残存していると判断して、第２表示部４６において通常の表示動作を行う（ステップＳ２１６）。
【００６０】
ここでの「通常の表示動作」とは、例えば、図３で説明した日時情報などの表示動作を意味する。通常の表示動作における表示内容や表示形式は、ユーザが予め設定することができ、アナログ時計表示、デジタル時計表示、アニメーション、状態表示などのユーザが指定した表示パターンに従って表示が行われる。この表示動作は、一定時間継続後自動的に、又は側面スイッチ３０又は３１の押下操作解除時にＯＦＦされる。
【００６１】
また、ステップＳ２１４において、電池電圧が判定基準電圧Ｖｔｈよりも低い場合には、第２表示部４６におけるアドレス表示処理に移行する（ステップＳ２１８）。アドレス表示処理（ステップＳ２１８）は、第２表示部４６の表示機能を電話帳表示に切り換える処理である。
【００６２】
図９にアドレス表示処理の内容を示す。アドレス表示処理がスタートすると、まず、ＥＥＰＲＯＭ６０の表示履歴に記録されているアドレス（氏名と電話番号）を第２表示部４６に表示させる。表示履歴が記録されていない場合には、電話帳の登録番号（メモリ番号）順で最も小さい番号のものが表示される。
【００６３】
この時の表示例は図５で説明したとおりであり、第２表示部４６の画面内に氏名５４と電話番号５５とが二列で同時表示される。このような二列表示（一画面表示）によって、１名分の電話番号を一目で確認することができる。
【００６４】
次いで、制御部８０は側面スイッチ３０又は３１の押下を監視する（ステップＳ３１２）。側面スイッチ３０又は３１が押されたことを検出すると、電話帳の中から現在表示中のアドレスの次の登録番号に係るアドレスを電話帳から読み出し、第２表示部４６の表示アドレスを更新する（ステップＳ３１４）。例えば、側面スイッチ３０が押されると、登録番号が大きくなる方向（順方向）に進んで表示アドレスが更新される。また、他の側面スイッチ３１が押されると、登録番号が小さくなる方向（戻り方向）に進んで表示アドレスが更新される。
【００６５】
ステップＳ３１４の後は、ステップＳ３１６に進む。また、ステップＳ３１２において側面スイッチ３０又は３１が押されていなければ、ステップＳ３１４を省略して、ステップＳ３１６に進む。
【００６６】
ステップＳ３１６では、側面スイッチ３０又は３１が押されてから一定時間が経過したか否かの判定を行う。すなわち、第２表示部４６において、あるアドレス情報の表示が一定時間継続して行われたか否かが判断される。一定時間が経過していない場合にはステップＳ３１２に戻る。他方、ステップＳ３１６において、一定時間が経過すると、制御部８０は、現在表示中のアドレスをＥＥＰＲＯＭ６０の表示履歴に記録する処理を行い（ステップＳ３１８）、その後、アドレス表示をＯＦＦする処理を実施する（ステップＳ３２０）。ステップＳ３２０が終了すると、図９のサブルーチンを抜けて、図８のフローチャートに復帰する。
【００６７】
こうして、側面スイッチ３０又は３１の押下に応じて随時、第２表示部４６に電話帳の情報が表示され、一定時間後にその表示が自動的に消える。
【００６８】
そして、次回、側面スイッチ３０を押したときには、前回最後に表示させていたアドレス情報が最初に表示される。
【００６９】
第２表示部４６は第１表示部１６に比べて消費電力が非常に少ないので、通話不能なレベルまで電池７０が消耗した状態でも、電話帳の内容については第２表示部４６に表示させることができる。本実施携帯電話機によれば、電池消耗によって携帯電話機１０で通話できなくなったとしても、携帯電話機１０内に登録されている電話帳を参照して公衆電話などから連絡をとることができる。また、このとき電話帳表示に用いる第２表示部は、非常に少ない電力で表示動作が可能であるため、消費電力も少ないという利点がある。
【００７０】
上記実施形態においては、電話帳の登録番号順に表示アドレスを更新する例を述べたが、表示履歴や、着信履歴、又は送信履歴の記録順に沿って表示アドレスを更新する（表示順を変更する）態様も可能である。
【００７１】
上記実施形態においては、第２表示部４６の表示操作手段として、第２の筐体１８の側面スイッチ３０、３１を共用する例を述べたが、側面スイッチの個数、機能、並びに配置位置は上述の例に限定されない。例えば、第１の筐体１４の側面に、レリーズスイッチ（カメラ付き携帯電話機における撮影ボタン）と兼用されるボタンを設ける態様も可能である。
【００７２】
もちろん、第２表示部４６の表示操作専用の操作部材を設けることも可能であり、また、その操作部材の配置位置については、側面部分に限らず、第２表示部４６の近傍など、適宜設計可能である。
【００７３】
更に他の態様として、暗所でも第２表示部４６の表示を確認できるようにするために、第２表示部４６を照明する光源（ライト）を搭載し、通常（電池残量が十分にある場合）は、側面スイッチの押下によって照明光源をライトＯＮし、電池残量が不足した状態のときには、図８及び図９で説明したように、側面スイッチの押下によって第２表示部４６の表示機能を切り換える制御を行う態様もある。
【００７４】
上記実施形態では、携帯電話機１０を例示したが、本発明の適用範囲は、携帯電話機に限定されず、消費電力の異なる二つの表示部を具備した携帯型情報端末装置（例えば、ＰＤＡ、モバイルパソコンなど）について広く適用することができる。
【００７５】
【発明の効果】
以上説明したように本発明に係る携帯型情報端末装置によれば、電池が所定容量以下に低下した場合は、通信機能及び第１の表示手段の表示機能をＯＦＦして消費電力を抑える一方、登録されている電話帳の情報を消費電力の少ない第２の表示手段に表示させる構成にしたので、電池が消耗した場合でも、電力消費を抑制しつつ、内蔵の電話帳（連絡先の情報）を見ることが可能になる。
【図面の簡単な説明】
【図１】本発明の実施形態を示す携帯電話機の斜視図
【図２】図１に示した携帯電話機を折り畳んだときの様子を示す斜視図
【図３】図２に示した第２表示部における表示例を示す図
【図４】電話帳表示機能に切り換わったときの第２表示部の表示例を示す図
【図５】本例の携帯電話機の内部構成を示すブロック図
【図６】携帯電話機に使用される電池の放電特性を示すグラフ
【図７】本実施形態に係る携帯電話機の制御手順を示すフローチャート
【図８】図２に示した第２表示部の表示制御シーケンスを示すフローチャート
【図９】図８中のアドレス表示処理の制御手順を示すフローチャート
【符号の説明】
１０…携帯電話機、１４…第１の筐体、１５…折り曲げ部、１６…第１表示部、１８…第２の筐体、２０…キー操作部、３０，３１…側面スイッチ、４０…アンテナ、４６…第２表示部、６０…ＥＥＰＲＯＭ、６２…無線通信部、７０…電池、７２…電圧検出部、７６…バックライト
【図１】
2004128574.tif 000003
【図２】
2004128574.tif 000004
【図３】
2004128574.tif 000005
【図４】
2004128574.tif 000006
【図５】
2004128574.tif 000007
【図６】
2004128574.tif 000008
【図７】
2004128574.tif 000009
【図８】
2004128574.tif 000010
【図９】
2004128574.tif 000011